(57)【特許請求の範囲】
【請求項１】
アップリンク送信ダイバーシティのための方法において、
２つ以上の可能性あるアップリンク送信構成を選択することと、
評価期間の間にそれぞれの可能性あるアップリンク送信構成を評価し、前記評価期間の間に、前記可能性あるアップリンク送信構成を使用することに対応する第１のメトリックを決定することと、
前記評価に基づいて、延長された使用期間の間の送信に対するアップリンク送信構成を選択することと、
前記延長された使用期間の間に、最適なアップリンク送信構成を使用することに対応する第２のメトリックを決定することと、
前記第１のメトリックおよび前記第２のメトリックに基づいて、評価サイクルレートを適合させることと、
前記選択されたアップリンク送信構成を、ワイヤレス通信デバイス上で、前記延長された使用期間に対して適用することと
を含む方法。
【請求項２】
前記２つ以上の可能性あるアップリンク送信構成を決定することをさらに含む、請求項１記載の方法。
【請求項３】
前記それぞれの可能性あるアップリンク送信構成は、位相構成を含む、請求項１記載の方法。
【請求項４】
前記それぞれの可能性あるアップリンク送信構成は、アンテナ構成を含む、請求項１記載の方法。
【請求項５】
アップリンク送信構成は、前記ワイヤレス通信デバイスに対するビーム形成技術を特定する、請求項１記載の方法。
【請求項６】
前記評価に基づいて、前記アップリンク送信構成を選択することは、最適なアップリンク送信構成を選択することを含む、請求項１記載の方法。
【請求項７】
前記それぞれの可能性あるアップリンク送信構成を評価することは、
現在のサイクルに対するアップリンク送信構成テストを実行して、平均送信電力を取得することと、
それぞれの可能性あるアップリンク送信構成の相対的メトリックを計算することと、
前記それぞれの可能性あるアップリンク送信構成に対する正規化された相対的メトリックを計算することと、
前記それぞれの可能性あるアップリンク送信構成に対する前記正規化された相対的メトリックの自己相関を計算することと
を含む、請求項１記載の方法。
【請求項８】
前記アップリンク送信構成テストを実行することは、アップリンク送信テスト期間の間に、アップリンク送信に対して、前記アップリンク送信構成を使用することを含む、請求項７記載の方法。
【請求項９】
前記評価サイクルレートを適合させることは、サイクル適合パラメータを調整することを含み、前記サイクル適合パラメータは、アップリンク送信テスト期間、評価期間、および、延長された使用期間を含む、請求項１記載の方法。
【請求項１０】
前記ワイヤレス通信デバイスは、２つ以上のアンテナを含む、請求項１記載の方法。
【請求項１１】
前記ワイヤレス通信デバイスは、複数入力複数出力（ＭＩＭＯ）を使用して、動作するように構成されている、請求項１０記載の方法。
【請求項１２】
前記評価サイクルレートを適合させることは、相対的メトリックを計算するために、前記第１のメトリックおよび第２のメトリックを使用することを含む、請求項１記載の方法。
【請求項１３】
アップリンク送信ダイバーシティのために構成されているワイヤレスデバイスにおいて、
プロセッサと、
前記プロセッサと電子的に通信しているメモリと、
前記メモリ中に記憶されている命令と
を具備し、
前記命令は、
２つ以上の可能性あるアップリンク送信構成を選択し、
評価期間の間にそれぞれの可能性あるアップリンク送信構成を評価し、前記評価期間の間に、前記可能性あるアップリンク送信構成を使用することに対応する第１のメトリックを決定し、
前記評価に基づいて、延長された使用期間の間の送信に対するアップリンク送信構成を選択し、
前記延長された使用期間の間に、最適なアップリンク送信構成を使用することに対応する第２のメトリックを決定し、
前記第１のメトリックおよび前記第２のメトリックに基づいて、評価サイクルレートを適合させ、
前記延長された使用期間に対して前記選択されたアップリンク送信構成を適用する
ように、前記プロセッサによって実行可能であるワイヤレスデバイス。
【請求項１４】
前記命令は、前記評価のために、前記２つ以上の可能性あるアップリンク送信構成を決定するようにさらに実行可能である、請求項１３記載のワイヤレスデバイス。
【請求項１５】
前記それぞれの可能性あるアップリンク送信構成は、位相構成を含む、請求項１３記載のワイヤレスデバイス。
【請求項１６】
前記それぞれの可能性あるアップリンク送信構成は、アンテナ構成を含む、請求項１３記載のワイヤレスデバイス。
【請求項１７】
アップリンク送信構成は、前記ワイヤレスデバイスのためのビーム形成技術を特定する、請求項１３記載のワイヤレスデバイス。
【請求項１８】
前記評価に基づいて、前記アップリンク送信構成を選択することは、最適なアップリンク送信構成を選択することを含む、請求項１３記載のワイヤレスデバイス。
【請求項１９】
前記それぞれの可能性あるアップリンク送信構成を評価することは、
現在のサイクルに対するアップリンク送信構成テストを実行して、平均送信電力を取得することと、
それぞれの可能性あるアップリンク送信構成の相対的メトリックを計算することと、
前記それぞれの可能性あるアップリンク送信構成に対する正規化された相対的メトリックを計算することと、
前記それぞれの可能性あるアップリンク送信構成に対する前記正規化された相対的メトリックの自己相関を計算することと
を含む、請求項１３記載のワイヤレスデバイス。
【請求項２０】
前記アップリンク送信構成テストを実行することは、アップリンク送信テスト期間の間に、アップリンク送信に対して、前記アップリンク送信構成を使用することを含む、請求項１９記載のワイヤレスデバイス。
【請求項２１】
前記評価サイクルレートを適合させることは、サイクル適合パラメータを調整することを含み、前記サイクル適合パラメータは、アップリンク送信テスト期間、評価期間、および、延長された使用期間を含む、請求項１３記載のワイヤレスデバイス。
【請求項２２】
前記ワイヤレスデバイスは、２つ以上のアンテナを備える移動局である、請求項１３記載のワイヤレスデバイス。
【請求項２３】
前記移動局は、複数入力複数出力（ＭＩＭＯ）を使用して、動作するように構成されている、請求項２２記載のワイヤレスデバイス。
【請求項２４】
前記評価サイクルレートを適合させることは、相対的メトリックを計算するために、前記第１のメトリックおよび第２のメトリックを使用することを含む、請求項１３記載のワイヤレスデバイス。
【請求項２５】
アップリンク送信ダイバーシティのために構成されているワイヤレスデバイスにおいて、
２つ以上の可能性あるアップリンク送信構成を選択する手段と、
評価期間の間にそれぞれの可能性あるアップリンク送信構成を評価し、前記評価期間の間に、前記可能性あるアップリンク送信構成を使用することに対応する第１のメトリックを決定する手段と、
前記評価に基づいて、延長された使用期間の間の送信に対するアップリンク送信構成を選択する手段と、
前記延長された使用期間の間に、最適なアップリンク送信構成を使用することに対応する第２のメトリックを決定する手段と、
前記第１のメトリックおよび前記第２のメトリックに基づいて、評価サイクルレートを適合させる手段と、
前記選択されたアップリンク送信構成を、前記延長された使用期間に対して適用する手段と
を具備するワイヤレスデバイス。
【請求項２６】
アップリンク送信ダイバーシティのために構成されているワイヤレスデバイスにおける、その上に命令を有するコンピュータ読取可能記憶媒体において、
前記命令は、コンピュータプロセッサによって実行される際に、
前記コンピュータプロセッサに、２つ以上の可能性あるアップリンク送信構成を選択させるためのコードと、
前記コンピュータプロセッサに、評価期間の間にそれぞれの可能性あるアップリンク送信構成を評価させ、前記評価期間の間に、前記可能性あるアップリンク送信構成を使用することに対応する第１のメトリックを決定させるためのコードと、
前記コンピュータプロセッサに、前記評価に基づいて、延長された使用期間の間の送信に対するアップリンク送信構成を選択させるためのコードと、
前記コンピュータプロセッサに、前記前記延長された使用期間の間に、最適なアップリンク送信構成を使用することに対応する第２のメトリックを決定させるためのコードと、
前記コンピュータプロセッサに、前記第１のメトリックおよび前記第２のメトリックに基づいて、評価サイクルレートを適合させるためのコードと、
前記コンピュータプロセッサに、前記選択されたアップリンク送信構成を、前記延長された使用期間に対して適用させるためのコードと
を含むコンピュータ読取可能記憶媒体。
【発明の詳細な説明】
【関連出願】
【０００１】
本出願は、２００８年９月２９日に出願され、Ｊａｓｏｎ Ｆ. Ｈｕｎｚｉｎｇｅｒ氏を発明者として記載する“ワイヤレス通信システムにおける送信ダイバーシティのための方法と装置”と題されている米国仮特許出願第６１／１０１，０７３号に対する優先権を主張する。
【技術分野】
【０００２】
本開示は、一般的に通信システムに関連する。より詳細には、本開示は、アップリンク送信ダイバーシティ向上のためのシステムと方法に関連する。
【背景】
【０００３】
ワイヤレス通信システムは、音声、ビデオ、データ等のような、さまざまなタイプの通信コンテンツを提供するために広く配備されている。これらのシステムは、複数の端末の、１つ以上の基地局との同時の通信をサポートすることができる多元接続システムであってもよい。
【０００４】
用語“移動局”は、ワイヤレス通信ネットワークを通して音声および／またはデータ通信に対して使用されてもよい電子的デバイスを指す。移動局の例は、セルラ電話機、パーソナルデジタルアシスタント（ＰＤＡ）、ハンドヘルドデバイス、ワイヤレスモデム、ラップトップコンピュータ、パーソナルコンピュータ、等を含む。移動局は、代わりに、アクセス端末、移動体端末、加入者局、リモート局、ユーザ端末、端末、加入者ユニット、ユーザ装置等として呼ばれてもよい。
【０００５】
ワイヤレス通信ネットワークは、それぞれが基地局によってサービスされていてもよい多数の移動局に対して、通信を提供してもよい。基地局は、代わりに、アクセスポイント、ノードＢ、または、他の何らかの用語として呼ばれてもよい。
【０００６】
ワイヤレス通信ネットワークにおいて、移動局と基地局との間で、データが送信されてもよい。移動体デバイスは、基地局に対してデータを送信するために、さまざまな構成を使用してもよい。チャネル条件に依拠して、１つの構成は、最適な送信パラメータを提供してもよい。データを基地局に送信するための、これらのさまざまな構成の選択に関連して、改善が行われたならば、有益であるだろう。
【図面の簡単な説明】
【０００７】
【図１】図１は、複数のワイヤレスデバイスを有するワイヤレス通信システムを示す。
【図２】図２は、送信ダイバーシティアップリンク向上のサイクルを図示する。
【図３】図３は、アップリンク送信ダイバーシティ向上モジュールを図示するブロック図である。
【図４】図４は、アップリンク送信ダイバーシティ向上のための方法を図示するフロー図である。
【図５】図５は、図４の方法に対応しているミーンズプラスファンクションブロックを図示する。
【図６】図６は、アップリンク送信ダイバーシティ向上のための別の方法を図示するフロー図である。
【図７】図７は、図６の方法に対応しているミーンズプラスファンクションブロックを図示する。
【図８】図８は、アップリンク送信ダイバーシティ向上のためのデータフローを図示するブロック図である。
【図９】図９は、さまざまな評価レートを有する送信ダイバーシティアップリンク向上のサイクルを図示する。
【図１０】図１０は、複数のアンテナでのビーム形成を図示する。
【図１１】図１１は、アップリンク送信向上のための有利なメトリックと、不利なメトリックを図示する。
【図１２】図１２は、本開示にしたがって構成されているワイヤレスデバイス内に含まれてもよい特定の構成を図示する。
【詳細な説明】
【０００８】
アップリンク送信ダイバーシティのための方法を記述する。２つ以上の可能性あるアップリンク送信構成が選択される。それぞれの可能性あるアップリンク送信構成が評価される。評価に基づいて、アップリンク送信構成が選択される。選択されたアップリンク送信構成のメトリクスが決定される。サイクル適合パラメータが調整される。選択されたアップリンク送信構成が、ワイヤレス通信デバイス上で、延長された使用期間に対して適用される。
【０００９】
２つ以上の可能性あるアップリンク送信構成が決定されてもよい。それぞれの可能性あるアップリンク送信構成は、位相構成を含んでいてもよい。それぞれの可能性あるアップリンク送信構成は、アンテナ構成を含んでいてもよい。アップリンク送信構成は、ワイヤレス通信デバイスのためのビーム形成技術を特定してもよい。
【００１０】
それぞれの可能性あるアップリンク送信構成を評価することは、現在のサイクルに対するアップリンク送信構成テストを実行して、平均送信電力を取得することを含んでもよい。それぞれの可能性あるアップリンク送信構成の相対的メトリックが計算されてもよい。それぞれの可能性あるアップリンク送信構成に対する正規化された相対的メトリックが計算されてもよい。それぞれの可能性あるアップリンク送信構成に対する正規化された相対的メトリックの自己相関が計算されてもよい。
【００１１】
アップリンク送信構成テストを実行することは、アップリンク送信テスト期間の間に、アップリンク送信に対して、アップリンク送信構成を使用することを含んでもよい。サイクル適合パラメータは、アップリンク送信テスト期間、評価期間、および、延長された使用期間を含んでいてもよい。ワイヤレス通信デバイスは、２つ以上のアンテナを含んでもよい。ワイヤレス通信デバイスは、複数入力複数出力（ＭＩＭＯ）を使用して、動作するように構成されていてもよい。
【００１２】
アップリンク送信ダイバーシティに対して構成されているワイヤレスデバイスもまた記述される。ワイヤレスデバイスは、プロセッサを具備する。ワイヤレスデバイスは、プロセッサと電子的に通信しているメモリもまた具備する。ワイヤレスデバイスは、メモリ中に記憶されている命令をさらに具備する。命令は、２つ以上の可能性あるアップリンク送信構成を選択するように、プロセッサによって実行可能である。命令は、それぞれの可能性あるアップリンク送信構成を評価するように、プロセッサによってまた実行可能である。命令は、評価に基づいて、アップリンク送信構成を選択するように、プロセッサによってさらに実行可能である。命令は、選択されたアップリンク送信構成のメトリクスを決定するように、また実行可能である。命令は、サイクル適合パラメータを調整するように、また、選択されたアップリンク送信構成を、延長された使用期間に対して適用するように、さらに実行可能である。
【００１３】
アップリンク送信ダイバーシティのために構成されているワイヤレスデバイスを記述する。ワイヤレスデバイスは、２つ以上の可能性あるアップリンク送信構成を選択する手段を具備する。ワイヤレスデバイスはまた、それぞれの可能性あるアップリンク送信構成を評価する手段を具備する。ワイヤレスデバイスはさらに、評価に基づいて、アップリンク送信構成を選択する手段を具備する。ワイヤレスデバイスはまた、選択されたアップリンク送信構成のメトリクスを決定する手段を具備する。ワイヤレスデバイスはさらに、サイクル適合パラメータを調整する手段を具備する。ワイヤレスデバイスはまた、選択されたアップリンク送信構成を、延長された使用期間に対して適用する手段を具備する。
【００１４】
アップリンク送信ダイバーシティ向上のために構成されているワイヤレスデバイスのためのコンピュータプログラム製品を記述する。コンピュータプログラム製品は、その上に命令を有するコンピュータ読取可能媒体を具備する。命令は、２つ以上の可能性あるアップリンク送信構成を選択するためのコードを含む。命令はまた、それぞれの可能性あるアップリンク送信構成を評価するためのコードを含む。命令はさらに、評価に基づいて、アップリンク送信構成を選択するためのコードを含む。命令はまた、選択されたアップリンク送信構成のメトリクスを決定するためのコードを含む。命令はさらに、サイクル適合パラメータを調整するためのコードを含む。命令はまた、選択されたアップリンク送信構成を、延長された使用期間に対して適用するためのコードを含む。
【００１５】
図１は、複数のワイヤレスデバイスを有するワイヤレス通信システム１００を示す。ワイヤレスデバイスは、基地局１０２、移動体デバイス、制御装置、または、類似物であってもよい。基地局１０２は、１つ以上のワイヤレス通信デバイス１０４と通信する局である。基地局１０２はまた、アクセスポイント、ブロードキャスト送信機、ノードＢ、進化ノードＢ、等の機能のうちのいくつか、または、すべてを含んでいてもよい。用語“基地局”をここで使用することにする。それぞれの基地局１０２は、特定の地理的エリアに対する通信カバレッジを提供する。基地局１０２は、１つ以上のワイヤレス通信デバイス１０４に対する通信カバレッジを提供してもよい。用語“セル”は、用語が使用される文脈に依拠して、基地局１０２、および／または、そのカバレッジエリアを指してもよい。
【００１６】
ワイヤレス通信デバイス１０４はまた、端末、アクセス端末、ユーザ装置（ＵＥ）、加入者ユニット、局、等の機能のうちのいくつか、または、すべてを含んでいてもよい。ワイヤレス通信デバイス１０４は、セルラ電話機、パーソナルデジタルアシスタント（ＰＤＡ）、ワイヤレスデバイス、ワイヤレスモデム、ハンドヘルドデバイス、ラップトップコンピュータ、等であってもよい。ワイヤレス通信デバイス１０４は、何らかの所定の瞬間に、ダウンリンク１１２、および／または、アップリンク１１０上で、ゼロ個の、１個の、または、複数の基地局１０２と通信してもよい。ダウンリンク１１２（すなわち、フォワードリンク）は、基地局１０２からワイヤレス通信デバイス１０４に対する通信リンクを指し、アップリンク１１０（すなわち、リバースリンク）は、ワイヤレス通信デバイス１０４から基地局１０２に対する通信リンクを指す。
【００１７】
ワイヤレスシステム（例えば、多元接続システム）中のワイヤレス通信デバイス１０４と、基地局１０２との間の通信は、フォワードリンクとリバースリンクからなるワイヤレスリンク上の送信を通して達成される。このような通信リンクは、単数入力単数出力（ＳＩＳＯ）、複数入力単数出力（ＭＩＳＯ）、または、複数入力複数出力（ＭＩＭＯ）システムを介して確立されてもよい。ＭＩＭＯシステムは、それぞれ、データ送信のための複数（ＭT）の送信アンテナと、複数（ＭR）の受信アンテナを備える送信機と受信機を含む。ＳＩＳＯおよびＭＩＭＯシステムは、ＭＩＭＯシステムの特定の例である。ＭＩＭＯシステムは、複数の送受信アンテナによって生成された追加的な次元が利用される場合、改善された性能（例えば、より高いスループット、より大きい容量、または、改善された信頼性）を提供できる。
【００１８】
ワイヤレス通信システム１００は、ＭＩＭＯを利用してもよい。送信機において、データストリームのそれぞれの部分は、異なるアンテナ１０８から送信されてもよい。受信機において、データストリームの異なる部分は、異なるアンテナによって受信されてもよく、次に、結合されてもよい。
【００１９】
ユニバーサル移動体電気通信システム（ＵＭＴＳ）地上無線アクセスネットワーク（ＵＴＲＡＮ）に対する、第３世代パートナーシッププロジェクト（３ＧＰＰ）標準規格関連の最近の努力は、既存の開ループ方法の制限を克服するために閉ループ方法を考え始めてきた。このことは、ＵＴＲＡＮからワイヤレス通信デバイス１０４に対するフィードバック情報を特定することを含んでいてもよい。
【００２０】
ワイヤレス通信システム１００は、送信ダイバーシティを利用してもよい。送信ダイバーシティにおいて、同一の情報ベアリング信号とともに変調された複数の独立した源から発生された信号が送信される。送信ダイバーシティにおいて、信号の送信特性は異なっていてもよい。アップリンク送信構成が、より長期の利点を持っているときに、より長いサイクルを使用して、これによって、デューティーサイクルを低くすることによって、かなりの性能利得が達成されてもよく、このように、アップリンク送信構成テストの不利点を回避する。急速なアップリンク送信構成選択が、チャネルダイナミクスを反映してもよいときに、より短いサイクルが使用されてもよい。このように、最高のアップリンク送信構成、または、少なくとも受け入れ可能なアップリンク送信構成が使用されてもよい。
【００２１】
ワイヤレス通信システム１００は、利用可能なシステムリソース（例えば、帯域幅および送信電力）を共有することによって、複数のワイヤレス通信デバイス１０４との通信をサポートすることができる多元接続システムであってもよい。このような多元接続システムの例は、コード分割多元接続（ＣＤＭＡ）システムと、広帯域コード分割多元接続（Ｗ−ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、空間分割多元接続（ＳＤＭＡ）システムとを含む。
【００２２】
ワイヤレス通信デバイス１０４は、アップリンク送信ダイバーシティ向上を使用して、基地局１０２と通信してもよい。アップリンク送信ダイバーシティ向上において、最適なアップリンク送信構成を決定するために、可能性あるアップリンク送信構成が、定期的にテストされてもよい。最高の、または、少なくとも受け入れ可能なメリットを有する（すなわち、最高の、または、少なくとも受け入れ可能なメトリクスを有する）可能性あるアップリンク送信構成が、最適なアップリンク送信構成として選択されてもよい。アップリンク送信ダイバーシティ向上を、図２に関連して、以下でより詳細に記述する。
【００２３】
閉ループアップリンク送信ダイバーシティ向上において、基地局１０２は、ワイヤレス通信デバイス１０４に対する送信ダイバーシティ修正を決定してもよい。基地局１０２は、次に、送信ダイバーシティ修正を、ワイヤレス通信デバイス１０４に送ってもよい。開ループアップリンク送信ダイバーシティ向上において、ワイヤレス通信デバイス１０４は、送信ダイバーシティに関する判定を自動的に行ってもよい。しかしながら、基地局１０２は、アップリンク送信ダイバーシティ性能の測定を、直接的または間接的に示してもよいフィードバック情報を、ワイヤレス通信デバイス１０４に送ってもよい。開ループアップリンク送信ダイバーシティの１つの不利な点は、アップリンク送信構成をテストすることにより引き起こされるフィードバックが、間接的であるかもしれず、および／または、遅延されているかもしれないことである。さらに開ループアップリンク送信ダイバーシティは、制限されたフィードバック／情報（エラー、不明確）を持つかもしれない。
【００２４】
開ループアップリンク送信ダイバーシティの１つの利点は、何の追加的なアップリンクパイロットオーバーヘッドも必要とされないことである。さらに、何の追加的なダウンリンクフィードバックオーバーヘッドも必要とされなくてもよい。また、ワイヤレス通信デバイス１０４と基地局１０２の間で、何の追加的な同期化も要求されなくてもよい。開ループアップリンク送信ダイバーシティはまた、プロトコル制約（例えば、位相分解能、タイミング等）によって制限されていない。
【００２５】
本システムと方法は、開ループアップリンク送信ダイバーシティ、または、閉ループアップリンク送信ダイバーシティの文脈で使用されてもよい。ワイヤレス通信デバイス１０４は、アップリンク送信ダイバーシティ向上モジュール１０６を含んでいてもよい。アップリンク送信ダイバーシティ向上モジュール１０６は、図３に関連して、以下でより詳細に記述する。
【００２６】
アップリンク送信ダイバーシティ向上モジュール１０６は、アップリンク送信を発生させてもよい。アップリンク送信は、１つ以上のアンテナ１０８ａ−ｂを介して、ワイヤレス通信デバイス１０４によって送信されてもよい。各アンテナ１０８は、アップリンク送信ダイバーシティ向上モジュール１０６によって制御されてもよい。アップリンク送信は、１つ以上のアンテナ１０８ｃ−ｄを介して、基地局１０２によって受信されてもよい。
【００２７】
図２は、送信ダイバーシティアップリンク向上のサイクル２００を図示する。送信ダイバーシティアップリンク向上はまた、適合的位相掃引（Ｐｈａｓｅ Ｓｗｅｅｐ）として呼ばれてもよい。アップリンク送信ダイバーシティ方法は、サイクル２４２のシーケンスを使用する。各サイクル２４２において、評価期間２５４の間に、可能性あるアップリンク送信構成のそれぞれをテストすることによって、１組の可能性あるアップリンク送信構成Ｈのうちから、アップリンク送信構成が選択される。それぞれの可能性あるアップリンク送信構成は、アップリンク送信構成テスト期間２６０（それぞれＬスロット）の間、テストされる。それぞれのアップリンク送信構成は、ワイヤレス通信デバイス１０４によって使用される、２つ以上のアンテナ１０８に対して、ビーム形成重み２１４ａ−ｃを適用してもよい。ビーム形成重み２１４は、以下のように表現されてもよい。
【数１】
0005307247.tif 000002
【００２８】
選択されたアップリンク送信構成は、延長された使用期間２５６の間に、ビーム形成重み２３２を適用してもよい。
【００２９】
測定を使用して、アップリンク送信構成を比較してもよい。測定の１つの例は、アップリンク送信電力であってもよい。それぞれの可能性あるアップリンク送信構成ｈ（ｉ）に対して、ワイヤレス通信デバイス１０４の平均送信電力ｙ（ｉ）が測定されてもよい（ここで、ｉはスロットインデックスである）。（スロットインデックスＩ（ｄ，ｎ，ｈ）として表され、ここで、ｎはサイクルインデックスであり、ｄはアップリンク送信構成テストレートであり、ｈは可能性あるアップリンク送信構成インデックスである）最小の平均送信電力を持つ、最適なアップリンク送信構成
【数２】
0005307247.tif 000003
【００３０】
が選択されてもよい。最適なアップリンク送信構成
【数３】
0005307247.tif 000004
【００３１】
は、次に、延長された使用期間２５６に対して使用されてもよい。位相掃引において、延長された使用期間２５６は、次の
【数４】
0005307247.tif 000005
【００３２】
スロットであり、（ここで、１／ｄは、デューティーサイクル長乗数であり、典型的に、２１に等しい）。したがって、位相掃引において、延長された使用期間２５６は、固定の期間を持つ。
【数５】
0005307247.tif 000006
【００３３】
の選択は、以下の数式（１）を使用して求められてもよい。
【数６】
0005307247.tif 000007
【００３４】
ここで、以下の数式（２）を適用する。
【数７】
0005307247.tif 000008
【００３５】
ワイヤレス通信デバイス１０４が送信ダイバーシティアップリンク向上を使用する場合、評価期間２５４の継続期間と、延長された使用期間２５６と、サイクル２４２とは調整されてもよい。１つの可能性ある構成において、公称の延長された使用期間２５６は、評価期間２５４のおよそ２０倍であってもよい。延長された使用期間２５６は、例えば、最大で約４３秒、最小で約１２５ミリ秒（ｍｓ）への追加を可能にする、制限された動的範囲を持っていてもよい。アップリンク送信構成テスト期間２６０は、２５スロットまたはより少ないスロットへと減少されてもよい。向上アップリンク送信ダイバーシティが、制限された利点を持つかもしれないチャネル条件では、延長された使用期間２５６は公称範囲または値に制限されてもよく、あるいは、アップリンク送信ダイバーシティ方法はディセーブルされてもよい。メトリクスと性能の相関を考慮することを含む、このことを達成するための詳細な方法を、以下でさらに説明することにする。アップリンク送信構成選択の性能は、評価期間２５４の間の可能性あるアップリンク送信構成のメトリクスが、後続する延長された使用期間２５６の間の可能性あるアップリンク送信構成のメトリクスに相関しているか否かに依拠する。しかしながら、振り返ってみると、最適状態に及ばないメトリクスを持つ、代わりの可能性あるアップリンク送信構成をテストすることは、性能に悪影響をもたらすことになるだろう。
【００３６】
最適なアップリンク送信構成に比して、代わりの可能性あるアップリンク送信構成の悪い影響は、他の要因が等しいとして、評価期間２５４の評価レートが増加するにつれて増加する。１つのトレードオフは、延長された使用期間２５６の間に、最適なアップリンク送信構成を適用することに対して、評価レートを最小化することのバランスである。例えば、評価期間２５４の間にアップリンク送信構成を使用することの悪い影響と、延長された使用期間２５６の間に最適なアップリンク送信構成を使用することからの良い影響との間に、トレードオフがあるかもしれない。良い影響と悪い影響は、メトリクスとして呼ばれてもよい。良い影響は、有利なメトリックとして呼ばれてもよく、悪い影響は、不利なメトリックとして呼ばれてもよい。
【００３７】
図３は、アップリンク送信ダイバーシティ向上モジュール３０６を図示するブロック図である。図３のアップリンク送信ダイバーシティ向上モジュール３０６は、図１のアップリンク送信ダイバーシティ向上モジュール１０６の１つの構成であってもよい。
【００３８】
アップリンク送信ダイバーシティ向上モジュール３０６は、複数の可能性あるアップリンク送信構成３１４を含んでもよい。それぞれの可能性あるアップリンク送信構成３１４は、アップリンク送信のためにワイヤレス通信デバイス１０４によって使用される特定のビーム形成を記述してもよい。それぞれの可能性あるアップリンク送信構成３１４は、位相構成３１６を含んでもよい。例えば、位相構成３１６は、アップリンク送信に対して位相オフセットを適用してもよい。１つの構成では、９０度の４つの位相オフセットが使用されてもよい。それぞれの可能性あるアップリンク送信構成３１４は、アンテナ構成３１８もまた含んでいてもよい。アンテナ構成３１８は、アップリンク送信の間のワイヤレス通信デバイス１０４のアンテナ利用を規定してもよい。例えば、２つのアンテナ１０８を備えるワイヤレス通信デバイス１０４において、各アンテナ構成３１８は、アップリンク送信の間にアンテナ１０８がオンまたはオフされるか否かを規定してもよい。可能性あるアップリンク送信構成３１４は、２つ以上のアンテナの間の大きさの差もまた含んでもよい。
【００３９】
可能性あるアップリンク送信構成評価モジュール３２０は、それぞれの可能性あるアップリンク送信構成３１４を評価してもよい。可能性あるアップリンク送信構成評価モジュール３２０は、サイクル３４２の一部としての評価期間３５４の間のアップリンク送信構成テスト期間３６０の間、それぞれの可能性あるアップリンク送信構成３１４（またはこれらのサブセット）をテストしてもよい。可能性あるアップリンク送信構成評価モジュール３２０は、サイクル適合モジュール３３４から、評価期間３５４ａ（または、代わりに、テスト期間３６０）と、サイクル期間３４２ａ（または、等しく、デューティーサイクル）とを受信してもよい。可能性あるアップリンク送信構成評価モジュール３２０は、次に、最適なアップリンク送信構成３２８を選択してもよい。可能性あるアップリンク送信構成評価モジュール３２０は、送信制御装置３３０に、最適なアップリンク送信構成３２８を送ってもよい。
【００４０】
送信制御装置３３０は、アップリンク送信３３２に、最適なアップリンク送信構成３２８を適用してもよい。最適なアップリンク送信構成３２８は、サイクル３４２の一部としての延長された使用期間３５６の間、アップリンク送信３３２に対して適用されてもよい。送信制御装置３３０は、サイクル適合モジュール３３４から、延長された使用期間３５６ａと、サイクル期間３４２ｂとを受け取ってもよい。
【００４１】
サイクル適合モジュール３３４は、フィードバック３３８を受け取ってもよい。閉ループアップリンク送信ダイバーシティにおいて、フィードバック３３８は、評価期間３５４と、延長された使用期間３５６と、サイクル期間３４２とに対する新しい値を含んでいてもよい。開ループアップリンク送信ダイバーシティにおいて、フィードバック３３８は、ワイヤレス通信デバイス１０４に対する送信電力における、インクリメント増加および／またはインクリメント減少を含んでもよい。
【００４２】
サイクル適合モジュール３３４は、サイクル適合パラメータ、測定値、および、メトリクス３３６を含んでもよい。サイクル適合パラメータ、測定値、および、メトリクス３３６は、ワイヤレス通信デバイス１０４によって測定／決定されてもよい。代わりに、サイクル適合パラメータ、測定値、および、メトリクス３３６のうちのいくつかのものは、基地局１０２から受信されてもよい。サイクル適合パラメータ、測定値、および、メトリクス３３６は、以下のアップリンク送信構成テスト期間に対して測定された平均送信電力３４０のようなアップリンク送信構成性能の測定値を含んでもよい。
【数８】
0005307247.tif 000009
【００４３】
（サイクルｃ、可能性あるアップリンク送信構成ｈ）。平均送信電力３４０は、一般的に、費用またはデメリット“−”である。言い換えると、最適状態に及ばないアップリンク送信構成をテストすることは、より高い送信電力をもたらすかもしれず、したがって、性能を劣化させる。サイクル適合パラメータ、測定値、および、メトリクス３３６はまた、以下のメトリクス基準（平均）３５２も含んでもよい。
【数９】
0005307247.tif 000010
【００４４】
メトリクス基準（平均）３５２は、ワイヤレス通信デバイス１０４の最小性能レベルにおける見通しを提供してもよい。サイクル適合パラメータ、測定値、および、メトリクス３３６は、以下の相対的メトリック３４４をさらに含んでもよい。
【数１０】
0005307247.tif 000011
【００４５】
相対的メトリック３４４は、利得における見通しを提供してもよい。
【００４６】
サイクル適合パラメータ、測定値、および、メトリクス３３６は、アップリンク送信構成テスト期間Ｔh（ｎ）３６０を含んでいてもよく、ここで、サイクル内で、ｎ＝［１・・・Ｎ］である。サイクル適合パラメータ、測定値、および、メトリクス３３６はまた、評価期間３５４
【数１１】
0005307247.tif 000012
【００４７】
と、延長された使用期間Ｔu３５６と、サイクル期間３４２
【数１２】
0005307247.tif 000013
【００４８】
とを含んでもよい。サイクル適合パラメータ、測定値、および、メトリクス３３６は、以下の評価レート３５０もさらに含んでいてもよい。
【数１３】
0005307247.tif 000014
【００４９】
サイクル適合パラメータ、測定値、および、メトリクス３３６は、テストおよびサイクル期間の間のトレードオフの考慮、あるいは、所定のデューティーサイクルｄに対する平均送信電力（サイクル）３４６のようなトレードオフに関連する要因を、追加的に含んでいてもよい。
【数１４】
0005307247.tif 000015
【００５０】
したがって、平均送信電力（サイクル）３４６は、全体のサイクル２４２のコースにわたって、ワイヤレス通信デバイス１０４の平均送信電力を表してもよい。サイクル適合パラメータ、測定値、および、メトリクス３３６はまた、ヒステリシス係数３５８も含んでもよい。ヒステリシス係数３５８は、サイクル期間３４２に対するインクリメンタルな変更を規定してもよい。上のしきい値が超えられるか、または低いしきい値が超えられない場合、サイクル期間３４２は、ヒステリシス係数３５８によって、増加または減少されてもよい。ヒステリシス係数３５８は、図６に関連してより詳細に以下で説明する。サイクル適合パラメータ、測定値、および、メトリクス３３６はまた、送信（Ｔｘ）電力（スロット）３４８も含んでもよい。Ｔｘ電力（スロット）３４８は、評価期間２５４の間のそれぞれの可能性あるアップリンク送信構成３１４に対する、それぞれのアップリンク送信構成テスト期間２６０の最後における送信電力を表してもよい。
【００５１】
図４は、アップリンク送信ダイバーシティ向上のための方法４００を図示するフロー図である。方法４００は、ワイヤレス通信デバイス１０４によって実行されてもよい。ワイヤレス通信デバイス１０４は、評価のための２つ以上の可能性あるアップリンク送信構成３１４を決定４０２してもよい。上で、図３に関連して説明したように、それぞれの可能性あるアップリンク送信構成３１４は、アップリンク送信構成を規定してもよい。ワイヤレス通信デバイス１０４は、評価のための可能性あるアップリンク送信構成３１４を選択４０４してもよい。例えば、ワイヤレス通信デバイス１０４は、現在のチャネル条件に一致する、可能性あるアップリンク送信構成３１４だけを選択してもよい。
【００５２】
ワイヤレス通信デバイス１０４は、次に、それぞれの可能性あるアップリンク送信構成３１４を評価４０６してもよい。それぞれの可能性あるアップリンク送信構成３１４は、それぞれのサイクル２４２を評価４０６されてもよい。ワイヤレス通信デバイス１０４は、アップリンク送信テスト期間２６０の間、可能性あるアップリンク送信構成３１４をテストすることによって、可能性あるアップリンク送信構成３１４を評価４０６してもよい。アップリンク送信テスト期間２６０の間、ワイヤレス通信デバイス１０４は、可能性あるアップリンク送信構成３１４中で規定されたアップリンク送信構成を使用して、アップリンク送信を送ってもよい。ワイヤレス通信デバイス１０４は、次に、評価メトリクスを使用して、評価に基づいて最適なアップリンク送信構成３２８を選択４０８してもよい。評価メトリクスは、ワイヤレス通信デバイス１０４パイロット送信電力と、統合電力制御と、平均ワイヤレス通信デバイス１０４送信電力とを含んでいてもよい。
【００５３】
アップリンク電力制御は、基地局１０２からのアップコマンドまたはダウンコマンドの形態におけるフィードバックによって、一般的に達成される。ワイヤレス通信デバイス１０４は、ステップ（例えば、１ｄＢによるアップまたはダウン）で、電力制御に応答してもよい。電力制御の累積的効果は、電力制御ステップの統合されたものとして表現できる。ワイヤレス通信デバイス１０４は、パイロットチャネルと、制御チャネルと、データチャネルとを送信してもよい。制御およびデータチャネルの電力は、パイロットからのオフセットによって決定されてもよく、ペイロード（変調、レート、コーディング）に依拠して異なっていてもよい。テスト期間にわたって、電力は変化するかもしれない一方で、（例えば、パイロットの、または、全体の）平均電力は、統合された電力制御というよりはむしろ、テスト性能の代わりの測定として使用されてもよい。
【００５４】
ワイヤレス通信デバイス１０４は、次に、延長された使用期間２５６に対する、最適なアップリンク送信構成３２８のメトリクスを決定４１０してもよい。ワイヤレス通信デバイス１０４は、次に、サイクル適合パラメータ３３６を調整４１２してもよい。ワイヤレス通信デバイス１０４は、延長された使用期間２５６に対するアップリンク送信３３２に対して、最適なアップリンク送信構成３２８を適用４１４してもよい。
【００５５】
図４の方法４００は、図５に図示したミーンズプラスファンクションブロック５００に対応しているさまざまなハードウェア、および／または、ソフトウェアコンポーネント、ならびに／あるいは、モジュールによって実行されてもよい。言い換えると、図４に図示したブロック４０２から４１４は、図５に図示したミーンズプラスファンクションブロック５０２から５１４に対応している。
【００５６】
図６は、アップリンク送信ダイバーシティ向上のための別の方法６００を図示するフロー図である。方法６００は、ワイヤレス通信デバイス１０４、または、（基地局１０２のような）インフラストラクチャデバイスによって、実行されてもよい。方法６００は、より早いまたはより遅いアップリンク送信構成テストレートを使用した性能の後方／前方推定と、正規化された相対的メリット（ＮＲＭ）の自己相関を使用した、次のサイクル性能の最小自乗線形予測とに基づいていてもよい。
【００５７】
ワイヤレス通信デバイス１０４は、サイクルｎに対するアップリンク送信構成テストを実行して、テストされた可能性あるアップリンク送信構成ｈ３１４に対する平均送信電力３４０を取得６０２してもよい。すべてのｈに対する平均送信電力３４０は、以下のように表現されてもよい。
【数１５】
0005307247.tif 000016
【００５８】
ワイヤレス通信デバイス１０４は、以下の数式（３）を使用して、最適なアップリンク送信構成を決定６０４してもよい。
【数１６】
0005307247.tif 000017
【００５９】
数式（３）の最小化は、より良い自己相関（すなわち、それらのテストが、延長された期間にわたる良好な将来の性能のより良い表示であった、アップリンク送信構成）を有する可能性あるアップリンク送信構成３１４に制限されているかもしれない。ワイヤレス通信デバイス１０４は、次に、以下の数式（４）を使用して、それぞれの可能性あるアップリンク送信構成３１４の相対的メトリック３４４を計算６０６してもよい。
【数１７】
0005307247.tif 000018
【００６０】
ここで、数式（４）の
【数１８】
0005307247.tif 000019
【００６１】
は、以下の数式（５）を使用して求められる。
【数１９】
0005307247.tif 000020
【００６２】
数式（４）のｍｉｎ関数は、平均より悪い、可能性あるアップリンク送信構成３１４の相対的メトリックを、ゼロ（０）にクリップしてもよい。
【００６３】
ワイヤレス通信デバイス１０４は、次に、以下の数式（６）を使用して、それぞれの可能性あるアップリンク送信構成３１４に対して、（スケールされた）正規化された相対的メトリックを計算６０８してもよい。
【数２０】
0005307247.tif 000021
【００６４】
最近の評価レート適合から、Ｎadaptサイクルが、経過した場合（すなわち、ｎ−ｎlast＞Ｎadapt  ここで、Ｎadapt≧１が設定可能である）、ワイヤレス通信デバイス１０４は、以下の数式（７）を使用して、最適なアップリンク送信構成３２８に対する、（スケールされた）正規化された相対的メトリックの自己相関を計算６１０してもよい。
【数２１】
0005307247.tif 000022
【００６５】
Ｎは、設定可能パラメータであり、Ｎadaptに関連して選ばれてもよい。Ｎadaptサイクルの条件はオプション的である。１つの構成において、適合は、サイクル毎に行われる。無限インパルス応答（ＩＩＲ）フィルタが使用される場合、ワイヤレス通信デバイス１０４は、以下の数式（８）を使用して、最適なアップリンク送信構成３２８に対する、（スケールされた）正規化された相対的メトリックの自己相関を計算６１０してもよい。
【数２２】
0005307247.tif 000023
【００６６】
数式（８）において、以下の数式（９）を使用して、定数ｍは、時間定数によって（すなわち、Ｎサイクルにわたってのインパルス応答が−３ｄＢ（または、ベース２において、−ｋ＝−２）に対して）与えられる。
【数２３】
0005307247.tif 000024
【００６７】
ワイヤレス通信デバイス１０４は、次に、以下の数式（１０）を使用して、ａ＝［−１，０，＋１］に対して、しきい値ｃa（ｄ）を計算してもよい（または、それぞれの有効な評価レートｄと、組み合わせに対して予め計算される）。
【数２４】
0005307247.tif 000025
【００６８】
近似は、オプション的であって、特に、デューティーサイクルがかなり大きい場合には、省略されてもよい。いずれのケースにおいても、ワイヤレス通信デバイス１０４は、次に、評価レート３５０を調整６１２してもよい。ワイヤレス通信デバイス１０４は、自己相関がしきい値の外側である場合（ｃminは、０に近い、最小公称相関であり；アップリンク送信構成テストは、ｃminを下回る値に対して、何の利益も提供しないかもしれない）、以下の数式（１１）を使用して、評価レート３５０を適合させてもよい。
【数２５】
0005307247.tif 000026
【００６９】
ここで、ｄ＝ｄ（ｎ−１）（従前の値）であり、ｃ’項は、以下の数式（１２）を使用して、規定される。
【数２６】
0005307247.tif 000027
【００７０】
ここで、ｃh＝［０，１］は、ヒステリシス係数３５８であり、ｃminとｄnomは、サイクルを短くするというよりはむしろ、低い相関のケースにおいて、公称レートに対するデフォルトとしてオプション的に使用されてもよい。したがって、サイクル期間３４２は、上のしきい値が超えられる場合、増加されてもよく、下のしきい値が超えられない場合、減少されてもよい。相関が最小値を下回る場合、公称またはデフォルトサイクル期間３４２が使用されてもよい。
【００７１】
（数式（１１）でのように）ｄへの制限が適用されるとき、たとえ、最短の長さがほどよい自己相関を持っていない場合でさえも、サイクル長を短くすることには、何の利点もないかもしれず、したがって、ｃminが、ｄmaxに有界であるｃ（ｄ）に設定されてもよい。このことは、可能性あるアップリンク送信構成テストをマスクオンまたはオフすること（選択的にスキップすること）によって実現されてもよい。しかしながら、任意の値のｕ＝１／ｄを使用して、改善された粒度を可能にしてもよい。ｃ’の定義のためにさまざまな代替が可能である。評価レートが変更された（すなわち、ｄ（ｎ）がｄ（ｎ−１）に等しくない）場合、ｎlastはｎに等しく設定されてもよい。次に、サイクルｎ中の残りのスロットに対して、最適なアップリンク送信構成３２８を使用６１４してもよい。
【００７２】
可能性あるアップリンク送信構成３１４のコンバージェンスレートは、サイクル長適合のコンバージェンスレートと取り違えるべきでない。性能は、使用されている可能性あるアップリンク送信構成３１４によって支配されてもよい一方で、サイクル２４２は、可能性あるアップリンク送信構成３１４選択ループの外側のループである。それぞれの可能性あるアップリンク送信構成３１４（または、サイクル期間３４２）は、他の変更を伴わずに変更されてもよい。可能性あるアップリンク送信構成３１４に対する困難な状況は、現実的であるか、または、否かに係らず、着実な状態がしばらく続いた後の、最高の可能性あるアップリンク送信構成３１４におけるステップ変更である。
【００７３】
例えば、位相におけるステップ変更は、明らかなアップリンク送信構成変更を保証するのに十分な程に大きい、１つのパスをブロックすることと、別のパスをアンブロックすることとをもたらす、動きによって発生してもよい。この状況は、条件の変更、すなわち、完全な変更の前の着実な状態が到達される前に、アップリンク送信ダイバーシティ向上アルゴリズムが、公称期間より長いものに適合することを許容される場合だけに発生する。注目すべきことは、位相におけるステップ変更と、その時間に引き続く、正しいアップリンク送信構成の最初の使用との間の遅延である。定義上、可能性あるアップリンク送信構成３１４の数が適切である場合、雑音が、不正確なアップリンク送信構成の選択の一因となることはなく、コンバージェンス時間は、平均で、最大サイクル期間３４２の半分の１／（２ｄmin）になり、最大で、最大サイクル期間１／ｄminより少しだけ短いことになる。これは、ステップ変更が、アップリンク送信構成テストサブ期間の直後に発生するところに、最も困難な状況があるためである。
【００７４】
最大サイクル長が、公称サイクル長の２倍に制限されている場合、この最悪のケースにおける適合による、追加のコンバージェンス遅延は、最大で、１公称サイクル長であり、平均で、公称サイクル長の半分であるだろう。したがって、最悪のケース、または、所望のものに満たないケースであっても、可能性あるアップリンク送信構成３１４選択のコンバージェンスレートは早い。
【００７５】
サイクル長適合のコンバージェンスは、これが制限されている場合、自己相関長（または、時間定数）と適合レートに依存している。最適なアップリンク送信構成におけるステップ変更がある場合、新しい可能性あるアップリンク送信構成３１４が、ステップ変更の前でさえも比較的最適でない限り、サイクル長は、公称またはより短い長さになる。例えば、新しい可能性あるアップリンク送信構成３１４が、ステップの前に高い場合、サイクル長は短くされないかもしれない。このことは、アルゴリズムが、ステップ変更におけるより頻繁なアップリンク送信構成の悪影響をスキップすることを可能にし、最悪のケースにおけるコンバージェンス遅延をオフセットしてもよい。適合（可能性あるアップリンク送信構成３１４の選択対サイクル長）の間のこの分離は、したがって、アップリンク送信ダイバーシティ向上アルゴリズムが、より多くの柔軟性とともに実行されることを可能にする。
【００７６】
これまで、ワイヤレス通信デバイス１０４が、ワイヤレス通信デバイス１０４の送信電力の観察に基づいて、アップリンク送信構成サイクル期間３４２を自動的に適合する、開ループ設計として、アップリンク送信ダイバーシティ向上アルゴリズムを提示してきた。しかしながら、ワイヤレス通信デバイス１０４は、ユニバーサル移動体電気通信システム（ＵＭＴＳ）地上無線アクセスネットワーク（ＵＴＲＡＮ）によって提供される情報、または、ワイヤレス通信デバイス１０４にローカルな情報を含む、他のメトリクスに基づいて、適合されてもよい。例えば、ワイヤレス通信デバイス１０４は、テスト期間が短くなり続けている場合（すなわち、等しいアップ／ダウンの可能性の着実な状態に到達しないほど、十分に短い）場合、アップまたはダウンの相関送信電力制御コマンドを考慮して、アップリンク送信構成テストを実行してもよい。さらに、アルゴリズムは、ＵＴＲＡＮにおいて実現されることができる。このようなシナリオにおいて、ＵＴＲＡＮは、どのアップリンク送信構成を使用すべきかと、ＵＴＲＡＮが測定を実行して、ワイヤレス通信デバイスに使用するように通知するために、最適なアップリンク送信構成３２８を決定できるように、スウィープを実行すべき（または、実行すべきでない）時とを、ワイヤレス通信デバイス１０４に信号送信してもよい。
【００７７】
代わりに、ＵＴＲＡＮは、単に、適合されたサイクル期間３４２（または、頻度）を、ワイヤレス通信デバイス１０４に、単にフィードバック３３８してもよい。上記のものの別の変種は、アップリンク送信構成テストの平均とは異なる基準の使用である。メトリクスは、代わりの可能性あるアップリンク送信構成３１４の測定された値に依拠して、スケールされ、または、バイアスされていてもよい。例えば、可能性あるアップリンク送信構成テストのメトリクスが、平均の、非最適アップリンク送信構成使用のメトリクスより高い場合、または、反対の場合、これは基準を調整することによって対処できる。
【００７８】
上記のものの別の変種は、可能性あるアップリンク送信構成３１４を選択的にテストすることである。サイクル２４２毎に全ての可能性あるアップリンク送信構成３１４をテストするための理由はないかもしれない。例えば、異なる可能性あるアップリンク送信構成３１４は、偶数または奇数のサイクル２４２でテストされてもよい。代わりに、可能性あるアップリンク送信構成３１４は、それらが最適でありそうな見込みがあるか否かに依拠した頻度において（従前のテストに基づいて、または、テストされた可能性あるアップリンク送信構成３１４の間の関係に基づいて、）テストされてもよい。別の代替は、可能性あるアップリンク送信構成３１４を１つずつテストする代わりに、可能性あるアップリンク送信構成３１４を補間することである。これは、テストの時間期間を拡散させるので、より信頼可能な評価を可能にしてもよい。個別のアップリンク送信構成テストサブ期間は短いかもしれないので、これはまた、上に記述したアップ／ダウン送信電力制御コマンド相関メトリクスに結合されてもよい。
【００７９】
上に説明した図６の方法６００は、図７に図示したミーンズプラスファンクションブロック７００に対応しているさまざまなハードウェア、および／または、ソフトウェアコンポーネント、ならびに／あるいは、モジュールによって実行されてもよい。言い換えると、図６に図示したブロック６０２から６１４は、図７に図示したミーンズプラスファンクションブロック７０２から７１４に対応している。
【００８０】
図８は、アップリンク送信ダイバーシティ向上のためのデータフロー８００を図示するブロック図である。評価モジュール８７４は、パイロット送信電力ｙ８６４と、電力制御８６６コマンド（ＰＣ ｃｍｄ ８７０）を受け取ってもよい。タイミングと制御モジュール８７２からの評価要求８９０に応答して、評価モジュール８７４は、選択（評価）モジュール８７６からの可能性あるアップリンク送信構成３１４の選択を要求８９４してもよい。選択（評価）モジュール８７６は、評価モジュール８７４に、２つ以上の可能性あるアップリンク送信構成Ｑ８９６を提供してもよく、ここで、Ｑ８９６は、可能性あるアップリンク送信３１４を（一意的ではなく）ソートすることを表す。
【数２７】
0005307247.tif 000028
【００８１】
評価モジュール８７４は、次に、２つ以上の可能性あるアップリンク送信構成３１４を評価してもよい。評価モジュール８７４は、それぞれの可能性あるアップリンク送信構成３１４を、ビーム形成モジュール８８０に適用してもよい。上に記述したように、それぞれのアップリンク送信構成３１４は、位相構成３１６とアンテナ構成３１８を含んでもよい。位相構成３１６とアンテナ構成３１８は、以下のような集合的重みとして、ビーム形成モジュールに送られてもよい。
【数２８】
0005307247.tif 000029
【００８２】
ビーム形成モジュール８８０は、次に、適用されたアップリンク送信構成を使用して、アップリンク送信を送ってもよい。評価のメトリクス８８４が記憶されてもよい。評価モジュール８７４は、評価がいつ行われたか８９２を、タイミングと制御モジュール８７２に対して、示してもよい。
【００８３】
タイミングと制御モジュール８７２は、選択（延長された使用）モジュール８７８に対して選択要求８６１を送ってもよい。（延長された使用）選択モジュールは、可能性あるアップリンク送信構成３１４のうちから、最適なアップリンク送信構成８６２を選択してもよい。（評価）選択モジュール８７６は、記憶されたメトリクス８８４に基づいて選択してもよい。評価モジュール８７４は、選択（延長された使用）モジュール８７８に、最適なアップリンク送信構成８６２を提供してもよい。代わりに、評価モジュール８７４は、（延長された使用）選択モジュール８７８が最適なアップリンク送信構成８６２を決定するために使用してもよいメトリクスだけを提供してもよい。
【００８４】
（延長された使用）選択モジュール８７８は、以下の重み８７１を使用して、最適なアップリンク送信構成３２８を、ビーム形成モジュール８８０に適用してもよい。
【数２９】
0005307247.tif 000030
【００８５】
重みオプションは、アンテナ間の大きさの差を必ずしも含んでいる必要はない。例えば、オプションは、等しい大きさと、２つのアンテナ切り替えオプションを有する、１組の９０度の４つの位相差を含んでいてもよい。オプションは、以下のように表されてもよい。
【数３０】
0005307247.tif 000031
【００８６】
代わりに、オプションは、アンテナ切り替えだけ、位相または大きさの組み合わせ、位相と切り替えを含んでいてもよい。ビーム形成モジュール８８０は、次に、適用された最適なアップリンク送信構成３２８を使用して、アップリンク送信を送ってもよい。
【００８７】
タイミングと制御モジュール８７２は、サイクル適合モジュール８８２にサイクル適合パラメータに適合８６５するように、要求を送ってもよい。サイクル適合モジュール８８２は、記憶されたメトリクスｍd８８４と、計算された正規化された相対的メトリクスｍ８６８とを使用して、時間にわたってのそれぞれのアップリンク送信構成３１４に対する自己相関ｒ８８８を取得８７７してもよい。サイクル適合モジュール８８２は、次に、記憶されたメトリクスｍdと、計算された正規化された相対的メトリクスｍ８６８と、自己相関ｒ８８８とを使用して、評価レートｄ８５０を決定してもよい。サイクル適合モジュール８８２は、評価レートｄ８５０を、タイミングと制御モジュール８７２に送ってもよい。サイクル適合モジュール８８２は、２nの制限された適合粒度を持っていてもよい。評価レートｄ８５０は、次に、タイミングと制御モジュール８７２によって、将来のスロット８６３に対する、将来のアップリンク送信構成向上のために使用されてもよい。
【００８８】
上の説明では、より長い時間フレームにわたって、アップリンク送信構成の良好な性能を予測する際の、そのアップリンク送信構成のテストの一貫性を表現するものとして、自己相関を使用した。代わりに、本システムおよび方法の文脈において、他の一貫性測定を使用してもよい。テストすることの費用と、より長いサイクル長の利益との間のトレードオフを最適化するための例として、この表現を使用してもよい。この一貫性と、トレードオフと、最適化との理論は、一般的に、以下に示すような数学的な式において説明することができる。
【００８９】
図９は、さまざまな評価レート９５０を有する送信ダイバーシティアップリンク向上のサイクル９００を図示する。所定のサイクルｎ９４２ａに対して、従前のサイクル上の仮説的な効果に依拠して、次のサイクルｎ＋１  ９４２ｂに対する評価レート９５０は、増加または減少されてもよい。１つの公称サイクルに対するレートの（すなわち、現在のレートにおける）増加および減少を、図９に図示した。
【００９０】
所定の評価レートｄ９５０ａに対する、アップリンク送信構成テスト期間９５４ａと、延長された使用期間９３２ａとにおいて、スロット毎の電力３４８があるとして（それぞれ、スロットインデックスＩ（ｄ，ｎ）と、スロットインデックスＵ（ｄ，ｎ）とによって、表される）、サイクルｎ９４２ａに対して測定された平均送信電力は、以下の数式（１３）を使用して、求められてもよい。
【数３１】
0005307247.tif 000032
【００９１】
ここで、Ｉ（ｈ，ｉ）は、時間インデックスｉにおける可能性あるアップリンク送信構成ｈ３１４に伴う送信電力であり、
【数３２】
0005307247.tif 000033
【００９２】
は、選択された最適なアップリンク送信構成３２８であり、
【数３３】
0005307247.tif 000034
【００９３】
は、スロット中のサイクル期間３４２である。所定の評価レートｄ９５０ａが、ｄ９５０ａに対する乗数として適用されたサイクルスケーリング係数αを介して、他の評価レートに比較されてもよい。例えば、対応するアップリンク送信構成テスト期間９５４ｂおよび延長された使用期間９３２ｂを有する、２倍されたレート９５０ｂ（α＝２）を、図９に示した。同様に、対応するアップリンク送信構成テスト期間９５４ｃおよび延長された使用期間９３２ｃを有する、１／２倍されたレート９５０ｃ（α＝１／２）を、図９に示した。
【００９４】
平均電力差は、第２のアップリンク送信構成テスト期間のオーバーヘッドと、メトリックの使用（第２の使用期間に対する可能性あるアップリンク送信構成３１４の適用）とによるものである。したがって、我々は、以下の数式（１４）を使用して、スケーリング係数αに対する差を汎化させてもよい。
【数３４】
0005307247.tif 000035
【００９５】
数式（１４）中の２つのサイクルレートのそれぞれに対して、数式（１３）を置換することは、以下の数式（１５）の導出を可能にする。
【数３５】
0005307247.tif 000036
【００９６】
共通時間インデックスに対する項を結合させることと、可能性あるアップリンク送信構成３１４と使用期間によってグループ化させることと、ｋ＝０に対する項が、より速いおよびより遅いレートの共通部分を打ち消すことに注目することと、それぞれの内部合計の長さにより項を乗算することとは、以下の数式（１６）を生む。
【数３６】
0005307247.tif 000037
【００９７】
項の合計を項の数によって割算したものは、平均に等しいので、以下の数式（１７）が導出されてもよい。
【数３７】
0005307247.tif 000038
【００９８】
したがって、以下の数式（１８）を使用して、平均が計算されてもよい。
【数３８】
0005307247.tif 000039
【００９９】
数式（１８）の結果は、不利なメトリック
【数３９】
0005307247.tif 000040
【０１００】
と、有利なメトリック
【数４０】
0005307247.tif 000041
【０１０１】
とに関して、以下の数式（１９）を使用して、直接表現されてもよい。
【数４１】
0005307247.tif 000042
【０１０２】
それぞれのｋに対する不利なメトリック
【数４２】
0005307247.tif 000043
【０１０３】
と、有利なメトリック
【数４３】
0005307247.tif 000044
【０１０４】
とが、以下の数式（２０）において示されている。
【数４４】
0005307247.tif 000045
【０１０５】
評価レートｄ９５０ａを使用することに対する、αｄを使用することの差は、使用中の平均送信電力と、それぞれのサイクルｋ＝１・・・αのアップリンク送信構成テストサブ期間とによるものである。不利なメトリック
【数４５】
0005307247.tif 000046
【０１０６】
は、より短いサイクル２４２の使用を止めさせる傾向がある一方で、有利なメトリック
【数４６】
0005307247.tif 000047
【０１０７】
は、アップリンク送信構成選択がより良くなる場合、より短いサイクル２４２の使用を促す傾向がある。最適なアップリンク送信構成選択が同一のままである場合、
【数４７】
0005307247.tif 000048
【０１０８】
の値は、負でないだろう。しかしながら、アップリンク送信構成選択が同一のままである場合、
【数４８】
0005307247.tif 000049
【０１０９】
の値は、ゼロになるだろう。
【０１１０】
以下のときに、平衡点が到達される。
【数４９】
0005307247.tif 000050
【０１１１】
α＝２に対して、以下の数式（２１）が満たされるときに、このことが発生する。
【数５０】
0005307247.tif 000051
【０１１２】
現在の評価レート９５０における実際の平均送信電力は、測定値によって決定できるので、不利なメトリクス
【数５１】
0005307247.tif 000052
【０１１３】
と、有利なメトリクス
【数５２】
0005307247.tif 000053
【０１１４】
とは、現在のレートｘに対して決定されてもよい。これらの差を仮定して、可能性あるアップリンク送信構成３１４のメトリックは、相対的量として規定されてもよい。サイクルｎ９４２に対する可能性あるアップリンク送信構成３１４の相対的メトリックは、そのサイクルのテストの間に、測定された可能性あるアップリンク送信構成３１４の送信電力３４０の平均と、そのサイクル９４２において全体のアップリンク送信構成テストにわたって測定された送信電力２４６の平均との差として規定されてもよく、これが平均より悪い場合は、０として規定されてもよい。したがって、相対的メトリックは、以下の数式（２２）を使用して、規定されてもよい。
【数５３】
0005307247.tif 000054
【０１１５】
以下の数式（２３）を使用して、基準項を、平均として規定してもよい。
【数５４】
0005307247.tif 000055
【０１１６】
平均より悪い、または、平均に等しい、何らかの可能性あるアップリンク送信構成３１４が０のメトリックを持ち、他方で、他のものが、負のメトリック値（すなわち、平均より少ない送信電力）を持つように、相対的メトリックは、ゼロより少ないか、ゼロに等しいように、有界であってもよい。２つの上記の平均の可能性あるアップリンク送信構成３１４の相対的メトリクスの間の差は、以下の数式（２４）を使用して、求められてもよい。
【数５５】
0005307247.tif 000056
【０１１７】
一度に、唯一の可能性あるアップリンク送信構成３１４が使用されているので、レートのうちの１つは仮説的である。したがって、より早いレートまたはより遅いレートのいずれかの平均送信電力は、完全には測定可能でない。
【０１１８】
図９は、公称サイクルを図示し、ここで、評価レートｄ９５０は、２ｄ９５０ｂへと２倍にされている。全てのケースにおいて、後半のより短いサイクルの仮説的
【数５６】
0005307247.tif 000057
【０１１９】
アップリンク送信構成サブテストの間の電力だけが、測定によって決定できる。すなわち、２倍レートに対して、不利なメトリックコンポーネントの
【数５７】
0005307247.tif 000058
【０１２０】
の上で１である。
【数５８】
0005307247.tif 000059
【０１２１】
が同一のままであるときのケースでは、後半の使用期間の間の電力も、測定によって決定することができる。それにもかかわらず、すべての仮説的な可能性あるアップリンク送信構成３１４の間の平均電力と、
【数５９】
0005307247.tif 000060
【０１２２】
に対する後半のサイクルとは、以下の数式（２５）においてサイクルｎ＋１  ９４２ｂに対する最近のアップリンク送信構成を使用することによって推定できる。
【数６０】
0005307247.tif 000061
【０１２３】
公称サイクルｎ９４２ａに対するｋ番目のサブサイクルの不利なメトリックは、ｎ＋１  ９４２ｂに対する最近のアップリンク送信サブ期間からの平均送信電力における実際の差を使用して推定でき、数式（２０）にしたがって、数式（２３）と、数式（２４）とを仮定すると、以下の数式（２６）が導出されてもよい。
【数６１】
0005307247.tif 000062
【０１２４】
開始するための可能性あるアップリンク送信構成
【数６２】
0005307247.tif 000063
【０１２５】
を選択するために、この後方推定器は、前方推定器と同じくらい良くなり得ることに留意する。さらに、α＝２に対して、仮説的な２番目の使用期間に、後方推定を適用できる。これは、発生したかもしれない前方推定より良くなり得る。以下の数式（２９）が導出されてもよい。
【数６３】
0005307247.tif 000064
【０１２６】
したがって、ｋ番目のサブサイクルの有利なメトリックは、同一のサイクルｎ＋１  ９４２ｂの可能性あるアップリンク送信構成３１４結果を使用して推定できる。α＝２に対して、以下のような選択され、仮説的に後方に適用された、可能性あるアップリンク送信構成３１４
【数６４】
0005307247.tif 000065
【０１２７】
は、何が選択されていても、仮説的に選択された可能性あるアップリンク送信構成３１４として、統計的に同一の性能を持つことになるだろう。したがって、数式（２０）にしたがって、数式（２４）を仮定すると、以下の数式（２８）が導出されてもよい。
【数６５】
0005307247.tif 000066
【０１２８】
数式（２８）からの有利なメトリック推定
【数６６】
0005307247.tif 000067
【０１２９】
と、数式（２６）からの不利なメトリック推定
【数６７】
0005307247.tif 000068
【０１３０】
とを、数式（１９）へと置き換えることにより、以下の数式（２９）が与えられる。
【数６８】
0005307247.tif 000069
【０１３１】
α＝２に対する、数式（２９）の均衡点において、以下の数式（３０）が導出されてもよい。
【数６９】
0005307247.tif 000070
【０１３２】
代わりに、評価レートｄ９５０は、ｄ／２  ９５０ｃへと、１／２にされてもよい。状況は、概念的に反対になる。サイクル９４２ａの
【数７０】
0005307247.tif 000071
【０１３３】
に対応している実際のアップリンク送信構成テスト９５４ｃの間の電力だけが、全てのケースにおける測定によって決定できる。
【数７１】
0005307247.tif 000072
【０１３４】
が、同一のままであるケースにおいて、全体の対応している延長された使用期間９３２ｃの間の電力が、また、測定によって決定できる。しかしながら、実際のアップリンク送信構成テスト９５４ｃと、引き続いての延長された使用期間９３２ｃの間の使用電力は、有利なメトリックと不利なメトリックとが反対にされる（ネゲートされる）ことと、（候補が、ここではより遅いレートであるために）時間スケールが１／２にされることとを除外して、２倍される評価レート９５０ｂのケースに対するものと、同一の方法で、サイクルｎ＋１  ９４２ｂに対する最近のアップリンク送信構成を使用して推定できる。上記の両方の考慮事項のために、測定値を使用して、実際のサイクルｎの測定値を、仮説的なより短いサイクル、および、より長いサイクル２４２に比較するので、評価レート９５０を調整するための、トレードオフ判定は、アップリンク送信構成テスト期間２６０の間に、または、アップリンク送信構成テスト期間２６０の最後において、最適に行われてもよい。
【０１３５】
ｈの正規化された相対的メリットは、以下の数式（３１）を使用して規定されてもよい。
【数７２】
0005307247.tif 000073
【０１３６】
可能性あるアップリンク送信構成３１４が、以下のようである場合、
【数７３】
0005307247.tif 000074
【０１３７】
ｍ（ｈ，ｎ）＝１である。可能性あるアップリンク送信構成ｈ３１４が、平均の可能性あるアップリンク送信構成３１４と同じくらい良いか、または、より悪い場合、ｍd（ｈ，ｎ）＝０である。ｈが、平均の可能性あるアップリンク送信構成３１４より良い場合、ｍd（ｈ，ｎ）は、正であり、１より少ないか、または、１に等しい。均衡式（３０）は、以下のような数式（３２）になる。
【数７４】
0005307247.tif 000075
【０１３８】
しかしながら、数式（３２）は、過去にさかのぼってしか、サイクル２４２を考慮しない。重要なのは、次のサイクルの予測される正規化された相対的メトリックである。したがって、線形予測値は、以下の数式（３３）を使用して、考慮されてもよい。
【数７５】
0005307247.tif 000076
【０１３９】
最小２乗誤差ソリューションに対して、以下の数式（３４）が導出されてもよい。
【数７６】
0005307247.tif 000077
【０１４０】
ｈに対する、ｍの自己相関（または、ｍがゼロ平均を持つケースでは、ｍの共分散）は、以下の数式（３５）を使用して求められる。
【数７７】
0005307247.tif 000078
【０１４１】
メトリック値は、０以上に有界にされているので、たとえ、可能性あるアップリンク送信構成３１４が、過去において、平均よりも悪かったとしても、自己相関は、０と１の間の値になるだろう。目的は、不利なメトリックと、有利なメトリックとのトレードオフが、同一の可能性あるアップリンク送信構成３１４の使用を保証するが、必ずしもより長くない、時間フレームに対応してサイクルレートを適合させることであるので、以下の数式（３６）によって規定される、単一のタップ予測値が使用されてもよい。
【数７８】
0005307247.tif 000079
【０１４２】
定義上、最適な
【数７９】
0005307247.tif 000080
【０１４３】
の正規化された相対的メリットは１であり、オフセット（０）における自己相関は、したがって、（特に、比較的短いＩＩＲフィルタ、または、自己相関ウィンドウに対して）１として近似されてもよい。代わりに、正規化された相対的メリットが計算されてもよいが、近似は、簡潔化された予測値を可能にする。したがって、簡潔化された予測値は、以下の数式（３７）を使用して計算されてもよい。
【数８０】
0005307247.tif 000081
【０１４４】
数式（３２）の均衡点を維持するために、以下の数式（３８）を使用して、サイクルレート２aｄが求められることが望ましいかもしれない。
【数８１】
0005307247.tif 000082
【０１４５】
レートｄに対して、ｃ0（ｄ）が望ましいかもしれず、他方、ｃ1（ｄ）は、より遅いｄ／２に対応することになり、ｃ-1（ｄ）は、より速い２ｄに対応することになるだろう。例えば、ｕ＝４２、ｄ＝１／４２、および、α＝２に対して、以下のようになる。
【数８２】
0005307247.tif 000083
【０１４６】
α＝２であるので、また、現在のレートに比して、均衡とは遠いレートは、選ばれるのが望ましくないので、ｄの値が、２の係数によって制限されている場合、新しいレートが、その均衡点から遠くならないように、ヒステリシス（ｃ’）または条件が適用されてもよい。一般的に、これは、以下の数式（４０）を使用して規定されてもよい。
【数８３】
0005307247.tif 000084
【０１４７】
自己相関が、
【数８４】
0005307247.tif 000085
【０１４８】
より小さい場合、最適なサイクルはより短くなる。しかしながら、自己相関が、
【数８５】
0005307247.tif 000086
【０１４９】
より大きい場合、最適なサイクルはより長くなる。
【０１５０】
図１０は、複数のアンテナでのビーム形成を図示する。ビーム形成は、アップリンク送信構成に対応していてもよい。送信されることになる第１の信号ｘ0  １０７９ａに対して、第１の重みｗ0  １０８１ａが適用されてもよく、送信されることになる第２の信号ｘ1  １０７９ｂに対して、第２の重みｗ1  １０８１ｂが適用されてもよい。第１の信号１０７９ａと、第２の信号１０７９ｂとは、同一の信号であってもよい。それぞれの重み１０８１は、送信されることになる信号１０７９の位相と、信号強度を調整してもよい。第１の信号１０７９ａは、次に、第１のアンテナ１０８３ａを使用して送信されてもよく、第２の信号１０７９ｂは、第２のアンテナ１０８３ｂを使用して送信されてもよい。複数のアンテナ１０８５ａ−ｂは、送信された信号を受信してもよい。例えば、第１の受信アンテナ１０８５ａは、第１の送信された信号と、第２の送信された信号とを受信してもよい。
【０１５１】
図１１は、アップリンク送信向上のための、有利なメトリックと、不利なメトリックとを図示する。サイクルｃ−１  １１４２ａの間の評価レートｄ  １１５０ａに対して、アップリンク送信構成テスト期間１１５４ａは、延長された使用期間１１３２ａによって後続される。次のサイクルｃ１１４２ｂに対して、別のアップリンク送信構成テスト期間１１５４ｂが発生してもよい。
【０１５２】
評価レートｄ  １１５０ａを、２ｄ  １１５０ｂへと２倍することによって、追加的な延長された使用期間１１３２ｃが、第１の延長された使用期間１１３２ｂに加えて、サイクル期間１１４２ａ上で達成される。より最適なアップリンク送信構成
【数８６】
0005307247.tif 000087
【０１５３】
が、全体のサイクル１１４２ａの拡張された使用期間の間に使用されるアップリンク送信構成
【数８７】
0005307247.tif 000088
【０１５４】
を使用することに対して、選ばれてもよいので、追加的な延長された使用期間１１３２ｃは、有利なメトリックを提供してもよい。しかしながら、評価レート１１５０を２倍することによって、元のアップリンク送信構成テスト期間１１５４ｃに加えて、アップリンク送信構成テスト期間１１５４ｄが要求される。ワイヤレス通信デバイス１０４は、最適な（または、最適に近い）アップリンク送信構成を使用する代わりに、可能性あるアップリンク送信構成３２８をテストするための電力を使用しているので、追加的なアップリンク送信構成テスト期間１１５４ｄは、不利なメトリックを提供するかもしれない。
【０１５５】
図１２は、ワイヤレスデバイス１２０１内に含まれてもよい、特定のコンポーネントを図示する。ワイヤレスデバイス１２０１は、ワイヤレス通信デバイス１０４であってもよい。
【０１５６】
ワイヤレスデバイス１２０１は、プロセッサ１２０３を含む。プロセッサ１２０３は、汎用の単一または複数チップのマイクロプロセッサ（例えば、ＡＲＭ）、専用マイクロプロセッサ（例えば、デジタル信号プロセッサ（ＤＳＰ））、マイクロ制御装置、プログラム可能ゲートアレイ、等であってもよい。プロセッサ１２０３は、中央処理ユニット（ＣＰＵ）として呼ばれてもよい。単一のプロセッサ１２０３を、図１２のワイヤレスデバイス１２０１において示したが、代わりの構成において、プロセッサ（例えば、ＡＲＭおよびＤＳＰ）の組み合わせが使用できる。
【０１５７】
ワイヤレスデバイス１２０１はまた、メモリ１２０５も含んでもよい。メモリ１２０５は、電子的情報を記憶できる任意の電子的コンポーネントであってもよい。メモリ１２０５は、ランダムアクセスメモリ（ＲＡＭ）、読取専用メモリ（ＲＯＭ）、磁気ディスク記憶媒体、光学記憶媒体、ＲＡＭ中のフラッシュメモリデバイス、プロセッサに含まれるオンボードメモリ、ＥＰＲＯＭメモリ、ＥＥＰＲＯＭメモリ、レジスタ、これらの組み合わせを含むもの、等、として実現されてもよい。
【０１５８】
データ１２０７と、命令１２０９は、メモリ１２０５中に記憶されてもよい。命令１２０９は、ここで記述した方法を実現するために、プロセッサ１２０３によって実行可能であってもよい。命令１２０９を実行することは、メモリ１２０５中に記憶されているデータ１２０７の使用を含んでいてもよい。プロセッサ１２０３が、命令１２０９を実行するとき、命令１２０９ａのさまざまな部分が、プロセッサ１２０３上にロードされてもよく、さまざまなデータ片１２０７ａが、プロセッサ１２０３上にロードされてもよい。
【０１５９】
ワイヤレスデバイス１２０１はまた、ワイヤレスデバイス１２０１からの信号の送信と、ワイヤレスデバイスに対する信号の受信とを可能にする、送信機１２１１と、受信機１２１３も含んでいてもよい。送信機１２１１と、受信機１２１３は、集合的に、トランシーバ１２１５として呼ばれてもよい。アンテナ１２１７は、トランシーバ１２１５に電気的に結合されてもよい。ワイヤレスデバイス１２０１はまた、（示していない）複数の送信機、複数の受信機、複数のトランシーバ、および／または、複数のアンテナを含んでいてもよい。
【０１６０】
ワイヤレスデバイス１２０１のさまざまなコンポーネントは、電力バス、制御信号バス、ステータス信号バス、データバス等を含んでいてもよい、１つ以上のバスによって、互いに結合されていてもよい。明瞭さのために、さまざまなバスを、図１２において、バスシステム１２１９として図示した。
【０１６１】
ここで記述する技術を、直交多重化スキームに基づいている通信システムを含む、さまざまな通信システムに対して使用してもよい。このような通信システムの例は、直交周波数分割多元接続（ＯＦＤＭＡ）システム、単一搬送波直交周波数分割多元接続（ＳＣ−ＦＤＭＡ）システム、等を含む。ＯＦＤＭＡシステムは、直交周波数分割多重（ＯＦＤＭ）を利用し、これは、全体のシステム帯域幅を、複数の直交副搬送波へと区分する変調技術である。これらの副搬送波は、トーン、ビン、等としても呼ばれる。ＯＦＤＭでは、各副搬送波は、データとは独立して変調されてもよい。ＳＣ−ＦＤＭＡシステムは、システム帯域幅全体を通して分散されている副搬送波上で送信するために、インターリーブされたＦＤＭＡ（ＩＦＤＭＡ）を利用してもよく、隣接副搬送波のブロック上で送信するために、ローカライズされたＦＤＭＡ（ＬＦＤＭＡ）を利用してもよく、または、隣接副搬送波の複数のブロック上で送信するために、拡張ＦＤＭＡ（ＥＦＤＭＡ）を利用してもよい。一般的に、変調シンボルは、ＯＦＤＭでは周波数ドメイン中で、そして、ＳＣ−ＦＤＭＡでは時間ドメイン中で送られる。
【０１６２】
用語“決定すること”は、幅広い動作を包含し、したがって、“決定すること”は、計算すること、演算すること、処理すること、導出すること、調べること、ルックアップすること（例えば、表、データベース、または別のデータ構造の中をルックアップすること）、確認すること、および類似物を含んでもよい。また、“決定すること”は、受信すること（例えば、情報を受信すること）、アクセスすること（例えば、メモリ中のデータにアクセスすること）、および類似物を含むことができる。また、“決定すること”は、解決すること、選択すること、選ぶこと、確立すること、および類似物を含むこともできる。
【０１６３】
フレーズ“〜に基づいて”は、そうではないと明示的に指定されない限り、“〜だけに基づいて”を意味していない。言い換えると、フレーズ“〜に基づいて”は、“〜だけに基づいて”と、“少なくとも〜に基づいて”の両方を記述する。
【０１６４】
用語“プロセッサ”は、汎用プロセッサ、中央処理ユニット（ＣＰＵ）、マイクロプロセッサ、デジタル信号プロセッサ（ＤＳＰ）、制御装置、マイクロ制御装置、状態機械、等を包含するとして、広く解釈すべきである。用語“プロセッサ”は、処理デバイスの組み合わせ、例えば、ＤＳＰとマイクロプロセッサの組み合わせ、複数のマイクロプロセッサ、ＤＳＰコアに結合された１つ以上のマイクロプロセッサ、または、他の何らかのこのような構成を指してもよい。
【０１６５】
用語“メモリ”は、電子的情報を記憶することができる、何らかの電子的コンポーネントを包含するとして、広く解釈すべきである。用語メモリは、ランダムアクセスメモリ（ＲＡＭ）、読取専用メモリ（ＲＯＭ）、不揮発性ランダムアクセスメモリ（ＮＶＲＡＭ）、プログラム可能読取専用メモリ（ＰＲＯＭ）、消去可能プログラム可能読取専用メモリ（ＥＰＲＯＭ）、電気的消去可能ＰＲＯＭ（ＥＥＰＲＯＭ）、フラッシュメモリ、磁気または光学データ記憶媒体、レジスタ、等を指してもよい。メモリは、プロセッサが、情報をメモリから読み出すことができ、および／または、情報をメモリに書き込むことができる場合、プロセッサと電子的に通信しているとして言われる。プロセッサと一体化しているメモリは、プロセッサと電子的に通信している。
【０１６６】
用語“命令”および“コード”は、任意のタイプのコンピュータ読取可能ステートメントを含むとして、広く解釈すべきである。例えば、用語“命令”および“コード”は、１つ以上のプログラム、ルーチン、サブルーチン、関数、手続、等を指してもよい。“命令”および“コード”は、単一のコンピュータ読取可能ステートメント、または、複数のコンピュータ読取可能ステートメントを含んでいてもよい。
【０１６７】
説明した機能を、ハードウェアによって実行されている、ソフトウェア、または、ファームウェアによって実現してもよい。関数を、コンピュータ読取可能媒体中の１つ以上の命令として記憶させてもよい。用語“コンピュータ読取可能媒体”または“コンピュータプログラム製品”は、コンピュータまたはプロセッサによってアクセスされることができる任意の有体記憶媒体を指す。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。
【０１６８】
ここで説明した方法は、説明した方法を達成するための１つ以上のステップまたは動作を含んでいてもよい。特許請求の範囲を逸脱することなく、これらの方法のステップおよび／または動作を相互交換してもよい。言い換えると、ステップまたは動作の特定の順序が指定されない限り、特定のステップまたは動作の順序および／または使用は、特許請求の範囲を逸脱することなく、変更してもよい。
【０１６９】
さらに、図４および６によって図示したもののような、ここに記述した方法および技術を実行するためのモジュール、および／または、他の適切な手段は、デバイスによって、ダウンロードされることができ、および／または、送ではなく取得されることができる。例えば、デバイスは、サーバに結合されて、ここで記述した方法を実行する手段の転送を容易にしてもよい。代わりに、ここで記述したさまざまな方法は、デバイスが、記憶手段をデバイスに結合または提供する際に、さまざまな方法を取得できるように、記憶媒体（例えば、ＲＡＭ、ＲＯＭ、コンパクトディスク（ＣＤ）、または、フロッピーディスク等のような、物理記憶媒体）を介して提供されることができる。
【０１７０】
特許請求の範囲は、上に説明した特定の構成およびコンポーネントに制限されていないことを理解すべきである。特許請求の範囲を逸脱することなく、さまざまな修正、変更、および変形が、上に説明した配置、特徴の動作および詳細、観点、および構成において、行われてもよい。  
以下に、本願出願の当初の特許請求の範囲に記載された発明を付記する。
［１］アップリンク送信ダイバーシティのための方法において、
２つ以上の可能性あるアップリンク送信構成を選択することと、
それぞれの可能性あるアップリンク送信構成を評価することと、
前記評価に基づいて、アップリンク送信構成を選択することと、
前記選択されたアップリンク送信構成のメトリクスを決定することと、
サイクル適合パラメータを調整することと、
前記選択されたアップリンク送信構成を、ワイヤレス通信デバイス上で、延長された使用期間に対して適用することと
を含む方法。
［２］前記２つ以上の可能性あるアップリンク送信構成を決定することをさらに含む、上記［１］の方法。
［３］前記それぞれの可能性あるアップリンク送信構成は、位相構成を含む、上記［１］の方法。
［４］前記それぞれの可能性あるアップリンク送信構成は、アンテナ構成を含む、上記［１］の方法。
［５］アップリンク送信構成は、前記ワイヤレス通信デバイスに対するビーム形成技術を特定する、上記［１］の方法。
［６］前記評価に基づいて、前記アップリンク送信構成を選択することは、最適なアップリンク送信構成を選択することを含む、上記［１］の方法。
［７］前記それぞれの可能性あるアップリンク送信構成を評価することは、
現在のサイクルに対するアップリンク送信構成テストを実行して、平均送信電力を取得することと、
それぞれの可能性あるアップリンク送信構成の相対的メトリックを計算することと、
前記それぞれの可能性あるアップリンク送信構成に対する正規化された相対的メトリックを計算することと、
前記それぞれの可能性あるアップリンク送信構成に対する前記正規化された相対的メトリックの自己相関を計算することと
を含む、上記［１］の方法。
［８］前記アップリンク送信構成テストを実行することは、アップリンク送信テスト期間の間に、アップリンク送信に対して、前記アップリンク送信構成を使用することを含む、上記［７］の方法。
［９］前記サイクル適合パラメータは、アップリンク送信テスト期間、評価期間、および、延長された使用期間を含む、上記［１］の方法。
［１０］前記ワイヤレス通信デバイスは、２つ以上のアンテナを含む、上記［１］の方法。
［１１］前記ワイヤレス通信デバイスは、複数入力複数出力（ＭＩＭＯ）を使用して、動作するように構成されている、上記［１０］の方法。
［１２］アップリンク送信ダイバーシティのために構成されているワイヤレスデバイスにおいて、
プロセッサと、
前記プロセッサと電子的に通信しているメモリと、
前記メモリ中に記憶されている命令と
を具備し、
前記命令は、
２つ以上の可能性あるアップリンク送信構成を選択し、
それぞれの可能性あるアップリンク送信構成を評価し、
前記評価に基づいて、アップリンク送信構成を選択し、
前記選択されたアップリンク送信構成のメトリクスを決定し、
サイクル適合パラメータを調整し、
延長された使用期間に対して前記選択されたアップリンク送信構成を適用するように、
前記プロセッサによって実行可能であるワイヤレスデバイス。
［１３］前記命令は、前記評価のために、前記２つ以上の可能性あるアップリンク送信構成を決定するようにさらに実行可能である、上記［１２］のワイヤレスデバイス。
［１４］前記それぞれの可能性あるアップリンク送信構成は、位相構成を含む、上記［１２］のワイヤレスデバイス。
［１５］前記それぞれの可能性あるアップリンク送信構成は、アンテナ構成を含む、上記［１２］のワイヤレスデバイス。
［１６］アップリンク送信構成は、前記ワイヤレスデバイスのためのビーム形成技術を特定する、上記［１２］のワイヤレスデバイス。
［１７］前記評価に基づいて、前記アップリンク送信構成を選択することは、最適なアップリンク送信構成を選択することを含む、上記［１２］のワイヤレスデバイス。
［１８］前記それぞれの可能性あるアップリンク送信構成を評価することは、
現在のサイクルに対するアップリンク送信構成テストを実行して、平均送信電力を取得することと、
それぞれの可能性あるアップリンク送信構成の相対的メトリックを計算することと、
前記それぞれの可能性あるアップリンク送信構成に対する正規化された相対的メトリックを計算することと、
前記それぞれの可能性あるアップリンク送信構成に対する前記正規化された相対的メトリックの自己相関を計算することと
を含む、上記［１２］のワイヤレスデバイス。
［１９］前記アップリンク送信構成テストを実行することは、アップリンク送信テスト期間の間に、アップリンク送信に対して、前記アップリンク送信構成を使用することを含む、上記［１８］のワイヤレスデバイス。
［２０］前記サイクル適合パラメータは、アップリンク送信テスト期間、評価期間、および、延長された使用期間を含む、上記［１２］のワイヤレスデバイス。
［２１］前記ワイヤレスデバイスは、２つ以上のアンテナを備える移動局である、上記［１２］のワイヤレスデバイス。
［２２］前記移動局は、複数入力複数出力（ＭＩＭＯ）を使用して、動作するように構成されている、上記［２１］のワイヤレスデバイス。
［２３］アップリンク送信ダイバーシティのために構成されているワイヤレスデバイスにおいて、
２つ以上の可能性あるアップリンク送信構成を選択する手段と、
それぞれの可能性あるアップリンク送信構成を評価する手段と、
前記評価に基づいて、アップリンク送信構成を選択する手段と、
前記選択されたアップリンク送信構成のメトリクスを決定する手段と、
サイクル適合パラメータを調整する手段と、
前記選択されたアップリンク送信構成を、延長された使用期間に対して適用する手段と
を具備するワイヤレスデバイス。
［２４］アップリンク送信ダイバーシティのために構成されているワイヤレスデバイスのコンピュータプログラム製品において、前記コンピュータプログラム製品は、その上に命令を有するコンピュータ読取可能媒体を備え、前記命令は、
２つ以上の可能性あるアップリンク送信構成を選択するためのコードと、
それぞれの可能性あるアップリンク送信構成を評価するためのコードと、
前記評価に基づいて、アップリンク送信構成を選択するためのコードと、
前記選択されたアップリンク送信構成のメトリクスを決定するためのコードと、
サイクル適合パラメータを調整するためのコードと、
前記選択されたアップリンク送信構成を、延長された使用期間に対して適用するためのコードと
を含むコンピュータプログラム製品。
【図１】
0005307247.tif 000089
【図２】
0005307247.tif 000090
【図３】
0005307247.tif 000091
【図４】
0005307247.tif 000092
【図５】
0005307247.tif 000093
【図６】
0005307247.tif 000094
【図７】
0005307247.tif 000095
【図８】
0005307247.tif 000096
【図９】
0005307247.tif 000097
【図１０】
0005307247.tif 000098
【図１１】
0005307247.tif 000099
【図１２】
0005307247.tif 000100